(57)【要約】      （修正有）【課題】力の弱い子供、女性、又は高齢者などでも、握力を要することなくペットボトル容器のキャップを容易に開栓できるうえに、缶容器のプルトップの開栓を容易に行える容器用オープナーを提供する。【解決手段】ペットボトルのキャップを挟持する長尺レール部１１と、長尺レール部１１から延設した板体に互いに対向する向きに一対の短爪部１２ａ、１２ｂを設けた。また、長尺レール部１１は、長手方向の一端から他端に向かってレール幅が次第に拡幅させ、長尺レール部１１のキャップと当接する箇所に凹凸部を設けた。【選択図】図１
0003227212.tif 000002
【実用新案登録請求の範囲】
【請求項１】
ペットボトルのキャップを挟持する長尺レール部と、該長尺レール部から延設した板体に互いに対向する向きに設けられた一対の短爪部を備えることを特徴とする容器用オープナー。
【請求項２】
前記長尺レール部が、長手方向の一端から他端に向かってレール幅が次第に拡幅部を有することを特徴とする請求項１に記載の容器用オープナー。
【請求項３】
前記長尺レール部の前記キャップと当接する箇所に凹凸部が形成されていることを特徴とする請求項１又は請求項３に記載の容器用オープナー。
【考案の詳細な説明】
【技術分野】
【０００１】
本発明は、力の弱い子供、女性、又は高齢者などでも、飲料水、調味料、薬剤又は洗剤などの流体が内部に充填されたペットボトル容器のキャップ、又は缶容器のプルトップの開栓を容易に行える容器用オープナーに関するものである。
【背景技術】
【０００２】
一般的に、ペットボトル容器は、キャップを回転させて開栓する構造となっている。しかしながら、キャップの直径が３ｃｍ程度と小さいうえに、キャップが開栓されたか否かを容易に判断できるように回転時にキャップと容器間に破断が生じる構造が採られているため、キャップの開栓時には相当な力を要する。キャップの外周面には滑り止め用の縦目ローレットが設けられ、把持し易くされているものの、力の弱い子供や女性、又は握力の低下した高齢者などは、キャップの開栓が容易に行えない。
【０００３】
また、缶容器にあっては、その上面に設けられたリング部分を指で引き起こして開栓する、いわゆるプルトップ方式が広く採用されている。プルトップの開栓時には、リング部分と缶容器の僅かな隙間に指先をいれて指をリング部分に掛けて引き起こすため、開栓時には相当な力を要するうえに、爪先を破損し易い。このため、ボトル容器のキャップと同様に、力の弱い子供や女性、又は高齢者などは、プルトップの引き起こしが容易に行えない。さらにネイルアートを施している女性などにとっては、爪先を破損する恐れから缶容器の使用自体を避けているのが実情である。
【０００４】
そこで従来、ペットボトル等のキャップオープナーとプルトップオープナーの機能を併せ持つ開栓器具が提案されている。このような開栓器具として特許文献１には、ボトル容器のキャップに挿通される円形状の挿通孔を一端に有する長尺な第１の本体と、この第１の本体の長手方向中央部に長手方向中央部が枢支され、挿通孔に挿通されたキャップの縦目ローレットに対し半径方向外方から進出して当該縦目ローレットに当接する鋸刃状の押え部を一端に有する長尺な第２の本体と、この第２の本体の他端に設けられ、缶飲料のプルトップのリング部分に係止する爪部とを備えたものが開示されている。
【０００５】
また、特許文献２には、略矩形を呈する薄板状の基板に、ボトル容器のキャップに挿通されるほぼ真円形状の挿通孔が設けられているとともに、前記挿通孔の内周面には、前記キャップの開栓時に当該キャップの外周面の縦目ローレットの溝の開栓方向前側に対し先端が開栓方向後方から当接する複数のキャップ開栓用爪部が設けられている一方、前記基板の１つの角部には、缶容器のプルトップのリング部分に挿通されるように前記基板の短手方向外向きに突出するプルトップ開栓用爪部が設けられたものが開示されている。
【先行技術文献】
【特許文献】
【０００６】
【特許文献１】特開２００９−２４９０３５号公報
【特許文献２】特開２０１３−１０７６９１号公報
【考案の概要】
【考案が解決しようとする課題】
【０００７】
しかしながら、特許文献１や特許文献２で開示されている開栓器具は、ペットボトルのキャップに開口部を嵌合させ、使用者の握力により開口部を縮径させてキャップと開口部を密着させてキャップを回転させる構造となっているため、使用者の握力が弱い場合は、開栓が容易に行えなかった。例えば栄養ドリンクなどキャップ径が小径の場合は、キャップ外周面と開口部の内周面にできる隙間が大きく、開口部を縮径させてキャップ外周面と開口部の内周面を密着させるには、相当程度の握力が必要であった。
【０００８】
本考案は、上記の問題点に鑑みなされたもので、力の弱い子供、女性、又は高齢者などでも、握力を要することなくペットボトル容器のキャップを容易に開栓できるうえに、缶容器のプルトップの開栓を容易に行える容器用オープナーを提供することを目的とする。
【課題を解決するための手段】
【０００９】
このため本考案の容器用オープナーは、ペットボトルのキャップを挟持する長尺レール部と、該長尺レール部から延設した板体に互いに対向する向きに設けられた一対の短爪部を備えることを第１の特徴とする。
【００１０】
また、前記長尺レール部が、長手方向の一端から他端に向かってレール幅が次第に拡幅部を有することを第２の特徴とする。さらに、前記長尺レール部の前記キャップと当接する箇所に凹凸部が形成されていることを第３の特徴とする。
【考案の効果】
【００１１】
本考案の容器用オープナーは、以下の優れた効果を有する。
（１）ペットボトルのキャップを開封する長尺レール部と、缶容器のプルトップの開栓する一対の短爪部を有するため、１つのオープナーで種々の容器を開栓することができ、使い勝手が良い。
（２）一対の短爪部を有しているため、一方の短爪部をプルトップに掛け、他方の短爪部を缶容器の周縁に係止し、梃子の原理を用いてプルトップを弱い力で円滑に引き上げられる。したがって、技量を要することなくプルトップを簡単に開栓することができる。
（３）ペットボトルのキャップと当接する長尺レール部は、そのレール幅が次第に拡幅しているため、例えば栄養ドリンクのキャップなどペットボトルのキャップに比べて小サイズのキャップであっても確実に当接することができる。すなわち、様々なキャップのサイズを開栓することが可能となる。さらに、レース幅がより狭小な箇所でキャップと当接させることで、開栓時に使用者の握力に頼ることなく、キャップとオープナーの密接度を高めることができる。
（４）長尺レール部のキャップと当接する箇所に凹凸部を形成しているため、キャップ外周に設けられている縦目ローレットと効率良く当接し、弱い力で容易にキャップを開栓することができる。
【図面の簡単な説明】
【００１２】
【図１】本考案に係る容器用オープナーの一実施例を示す底面方向から見た斜視図である。
【図２】図１の容器用オープナーの上面方向から見た斜視図である。
【図３】図１の容器用オープナーがキャップに当接した様子を説明する側面図である。
【図４】図１の容器用オープナーによりプルトップを開栓する様子を説明する斜視図である。
【考案を実施するための形態】
【００１３】
以下、本考案を実施するための最良の形態を、図面に示す実施例に基づいて説明する。図１は本考案に係る容器用オープナーの一実施例を示す底面方向から見た斜視図であり、図２は図１の容器用オープナーの上面方向から見た斜視図であり、図３は図１の容器用オープナーがキャップに当接した様子を説明する側面図であり、図４は図１の容器用オープナーによりプルトップを開栓する様子を説明する斜視図である。
【００１４】
図１乃至図４に示すように、本考案の容器用オープナー本体１は、ペットボトルのキャップ２を挟持する長尺レール部１１と、この長尺レール部１１から延設した平板部１３に設けられた一対の短爪部（１２ａ、１２ｂ）から構成され、一体的に形成されている。容器用オープナー本体１は、ペットボトル等のキャップ２、又は缶容器のプルトップ３の開栓を行う際に、その力に耐久できる素材、例えばステンレスなどの金属素材や強化プラスチックなどの樹脂素材などでも良く、素材の限定はされない。
【００１５】
長尺レール部１１は、短手方向の断面図で略Ｃ字形状に形成されており、その開放部分（レール幅）が、長手方向の一端側から他端側に向かって次第に拡幅しており、この拡幅部１１１にペットボトル等のキャップ２が挟持される。拡幅部１１１が、次第に拡幅していることで、キャップ２のサイズは種々のサイズに対応することができるとともに、より狭小な部分で挟持させることで、確実にキャップ２と容器用オープナー本体１が当接することができる。すなわち、容器用オープナー本体１に加える力を効率良くキャップ２に伝達することができるため、例えば力の弱い子供、女性、又は高齢者などでも容易にキャップ２の開栓を行うことができる。
【００１６】
拡幅部１１１のキャップ２に当接する箇所には、複数の凹凸部１１２が形成されている。一般的にキャップ２の外周面には、滑り止め用の凹凸、いわゆる縦目ローレットが設けられている。そのため、凹凸部１１２が縦目ローレットと効率良く当接し、しっかりとキャップ２を挟持し、弱い力でも容易にキャップ２を開栓することができる。
【００１７】
一対の短爪部（１２ａ、１２ｂ）は、長尺レール部１１から延設した平板部１３から、図１において上面側（図２において底面側）に突出して設けられている。これは、長尺レール部１１と缶容器の周縁３１が干渉することを防ぐためであり、例えば平板１２ｃが長手方向により長く、長尺レール部１１と缶容器の周縁３１が干渉するおそれがない場合は、短爪部（１２ａ、１２ｂ）の突出方向は、図１において底面側（図２において上面側）でも良い。また、図示した実施例では、平板部１３に開口部１４が設けられている。開口部１４は、プルトップ３とほぼ同サイズの開口である。開口部１４は、缶容器の上面に設けられているプルトップ３との干渉を防いでいるが、短爪部（１２ａ、１２ｂ）が充分に長く設けられ、プルトップ３と干渉するおそれがない場合は、必ずしも開口部１４は必要としない。
【００１８】
次に本考案の容器用オープナー１を用いてキャップ２やプルトップ３を開栓する場合の操作方法を図３、図４に基づいて説明する。
【００１９】
図３に示すように、ペットボトルを立てた状態で、キャップ２の上方から拡幅部１１１にキャップ２を挟み込むよう接近させる。容器用オープナー１を水平方向（キャップ２が拡幅部１１１のより狭小な位置にくる向き）にスライドさせ、キャップ２と拡幅部１１１をしっかりと当接させる。それから、容器用オープナー１を開栓方向へ回転させる。すると、キャップ２の縦目ローレットと凹凸部１１２がしっかりと噛み合っているため、弱い力で確実に開栓することができる。さらに、容器用オープナー１からキャップ２を外す際には、キャップ２を拡幅部１１１のより拡幅した方向へスライドさせる、もしくはそのままキャップ２を垂直方向（縦目ローレットの縦目方向）へ引き抜くことで容易に容器用オープナー１からキャップ２を離脱させることができる。
【００２０】
一方、缶容器のプルトップ３をあける場合は、図４に示すように、缶容器を立てた状態で、図中一点鎖線矢印に示す方向から、短爪部１２ａをプルトップ３のリングに挿通させ、短爪部１２ｂを缶容器の周縁３１に当接させる。そして短爪部１２ｂを支点とした梃子の原理によりプルトップ３を引き起こすことが可能となる。したがって、技量を要することなくプルトップ３を簡単に開栓することができる。
【００２１】
なお、本実施例において、拡幅部１１１は必ずしも設ける必要はなく、例えば拡幅部１１１を同幅に形成し、特定サイズのキャップ２を開栓するようにしても良い。このように、本考案の要旨を逸脱しない範囲内において種々変更を加え得ることは言うまでもない。
【符号の説明】
【００２２】
１      容器用オープナー本体
２      キャップ
３      プルトップ
１１    長尺レール部
１２    短爪部
１３    平板部
１４    開口部
１１１  拡幅部
１１２  凹凸部
【図１】
0003227212.tif 000003
【図２】
0003227212.tif 000004
【図３】
0003227212.tif 000005
【図４】
0003227212.tif 000006
【手続補正書】
【提出日】令和2年5月1日(2020.5.1)
【手続補正１】
【補正対象書類名】実用新案登録請求の範囲
【補正対象項目名】請求項３
【補正方法】変更
【補正の内容】
【請求項３】
前記長尺レール部の前記キャップと当接する箇所に凹凸部が形成されていることを特徴とする請求項１又は請求項２に記載の容器用オープナー。